(57)【要約】【課題】原エアゾール容器の内容物の小分け使用に際しての利便化を図る。【解決手段】移充填先の小分け容器Ｂの内容物流入口８ｃを移充填元の原エアゾール容器Ａのステム２１に嵌合保持して、トップキャップ１などを押下げ操作した内容物移充填状態を示している。このとき、原エアゾール容器Ａのステム２１も下動して弁作用部（ステム２１の横孔部）が開き、原エアゾール容器Ａの内容物は底蓋８の孔部８ｆに流入してその圧力で逆止弁１１が開く。この逆止弁１１を介して原エアゾール容器Ａの内容物が環状ピストン９を上動させながら定量室Ｃへ矢印のように流入する。内容物移充填後は小分け容器Ｂを原エアゾール容器Ａから分離して、トップキャップ１を外した状態の操作ボタン２を押し下げて定量室Ｃの移充填内容物を噴射する。小分け容器Ｂを原エアゾール容器Ａから分離しても逆止弁１１が作用するので、定量室の収容内容物が孔部８ｆから流出することはない。【選択図】図２
2020104933.tif 000002
【特許請求の範囲】
【請求項１】
原エアゾール容器の内容物を少量単位で移充填して、この少量の移充填内容物を、前記原エアゾール容器から分離した状態で自噴射機構により外部空間域に噴射する形のエアゾール内容物の小分け容器において、
前記原エアゾール容器の内容物流出部から充填される前記移充填内容物が流入する内容物流入部と、
前記内容物流入部の下流側に設定されて前記移充填内容物を収容し、かつ、前記自噴射機構に連通する収容空間域と、を備え、
前記内容物流入部は、
前記収容空間域へと進む第一方向の前記移充填内容物の流れに対しては開状態となり、前記収容空間域から戻る第二方向の前記移充填内容物の流れに対しては閉状態となる逆止弁を有している、
ことを特徴とするエアゾール内容物の小分け容器。
【請求項２】
前記内容物流入部は、
前記内容物流出部に分離可能な状態で取り付けられる形状のものである、
ことを特徴とする請求項１記載のエアゾール内容物の小分け容器。
【請求項３】
前記内容物流出部は、
前記原エアゾール容器の流出弁を構成するステムである、
ことを特徴とする請求項１または２記載のエアゾール内容物の小分け容器。
【請求項４】
前記少量の移充填内容物は、
「1〜2mL」である、
ことを特徴とする請求項１乃至３のいずれかに記載のエアゾール内容物の小分け容器。
【請求項５】
原エアゾール容器の内容物を少量単位で小分け容器に移充填して、この少量の移充填内容物を、前記原エアゾール容器から分離した状態の前記小分け容器の自噴射機構により外部空間域に噴射する形のエアゾール内容物の小分け噴射方法において、
前記原エアゾール容器から前記小分け容器の内容物流入部に流入する前記移充填内容物を、逆止弁の開状態弁作用により前記内容物流入部の下流側の収容空間域に収容し、
前記移充填内容物が前記収容空間域に収容された前記小分け容器を前記原エアゾール容器から分離し、
前記分離した後の前記小分け容器の前記移充填内容物を、前記逆止弁の閉状態弁作用により前記収容空間域から前記内容物流入部の方へ流出することを阻止して、前記外部空間域に噴射する、
ことを特徴とするエアゾール内容物の小分け噴射方法。
【発明の詳細な説明】
【技術分野】
【０００１】
本発明は、内容物容量が例えば200mL，300mL，330mL，450mLなどの原エアゾール容器の内容物を例えば「1〜2mL」の少量単位で移充填して、この少量の移充填内容物を自噴射機構で外部空間域に噴射する形のエアゾール内容物の小分け容器に関する。
【０００２】
本明細書などにおいて「容器」の語は、必要に応じて、噴射対象内容物を収容するための入れ物のみならず、この入れ物に内容物をいったん収容してから噴射操作により外部空間域に噴射するための自噴射機構（ステム，流入弁，流出弁など）を含む意で用いる。
【０００３】
また、エアゾール内容物の移充填元としてのエアゾール容器を「原エアゾール容器」という。本発明は、原エアゾール容器の内容物の一部が小分け容器に移充填されることを前提とする。
【０００４】
原エアゾール容器から小分け容器への例えば「1〜2mL」の少量内容物の移充填処理は前者側の噴射剤圧力作用により実行される。このとき小分け容器の内容物流入口が原エアゾール容器のステムなどの内容物流出側に接続されている。
【０００５】
小分け容器の定量室などの収容空間域に移充填された例えば2mLの内容物は自噴射機構の作動により外部空間域へと噴射され、この収容空間域は内容物の略空状態となる。
【０００６】
略内容物空状態となった小分け容器には、新たな移充填処理により原エアゾール容器の内容物が例えば2mLほどの一定量だけ再収容される。
【０００７】
本発明は、このように原エアゾール容器内容物の一部を移充填してから原エアゾール容器と分離した状態で、この移充填内容物を自噴射機構により外部空間域に噴射する態様の小分け容器である。
【背景技術】
【０００８】
エアゾール容器本体の内容物の一部を、この容器本体流出部と噴射操作部との間の定量室に内容物噴射操作とは別の初期分配操作によりいったん小分けし、その後の噴射操作で定量室の小分け内容物を外部空間域に噴射する小分け噴射機構が提案されている（特許文献１参照）。
【０００９】
この小分け噴射機構の場合、容器本体およびその流出部の上流側ステムからなる容器本体側機構と、これに続く定量室およびその流出部の下流側ステムからなる噴射操作部側機構とが常に一体化している。
【００１０】
すなわち、この噴射操作部側機構はあくまで容器本体および上流側ステムに取り付けられた状態で使用することが前提になっている。
【先行技術文献】
【特許文献】
【００１１】
【特許文献１】特開２０００−０８４４４４号公報
【発明の概要】
【発明が解決しようとする課題】
【００１２】
本発明は、上述した従来のエアゾール容器の内容物小分け使用において、収容空間域である定量室への内容物移充填後の内容物噴射動作には、移充填元の容器本体側機構が関与していないことに着目したものである。
【００１３】
すなわち、小分け容器の定量室（収容空間域）への移充填済み内容物の流出を阻止する逆止弁を定量室流入部に設けて、小分け容器が原エアゾール容器から取り外された独立状態で管理・使用されるようにしている。
【００１４】
これにより原エアゾール容器よりも小さくて軽い小分け容器を携帯すればよいといったエアゾール内容物の小分け使用に際しての利便化を図り、また、一回の内容物噴射量についての無駄の低減化を図ることを目的とする。
【課題を解決するための手段】
【００１５】
本発明は、以上の課題を次のようにして解決する。
（１）原エアゾール容器（例えば後述の原エアゾール容器Ａ）の内容物を少量単位で移充填して、この少量の移充填内容物を、前記原エアゾール容器から分離した状態で自噴射機構（例えば後述のステム３，ステムガスケット４，上側コイルスプリング７，環状ピストン９，下側コイルスプリング１０）により外部空間域に噴射する形のエアゾール内容物の小分け容器（例えば後述の小分け容器Ｂ）において、
前記原エアゾール容器の内容物流出部（例えば後述のステム２１）から充填される前記移充填内容物が流入する内容物流入部（例えば後述の内容物流入口８ｃ）と、
前記内容物流入部の下流側に設定されて前記移充填内容物を収容し、かつ、前記自噴射機構に連通する収容空間域（例えば後述の小分け定量室Ｃ）と、を備え、
前記内容物流入部は、
前記収容空間域へと進む第一方向の前記移充填内容物の流れに対しては開状態となり、前記収容空間域から戻る第二方向の前記移充填内容物の流れに対しては閉状態となる逆止弁（例えば後述の逆止弁１１）を有する、
構成態様の小分け容器を用いる。
（２）上記（１）において、
前記内容物流入部は、
前記内容物流出部に分離可能な状態で取り付けられる形状からなる、
構成態様の小分け容器を用いる。
（３）上記（１），（２）において、
前記内容物流出部は、
前記原エアゾール容器の流出弁を構成するステム（例えば後述のステム２１）である、
構成態様の小分け容器を用いる。
（４）上記（１），（２），（３）において、
前記少量の移充填内容物は、
「1〜2mL」である、
構成態様の小分け容器を用いる。
（５）原エアゾール容器の内容物を少量単位で小分け容器に移充填して、この少量の移充填内容物を、前記原エアゾール容器から分離した状態の前記小分け容器の自噴射機構により外部空間域に噴射する形のエアゾール内容物の小分け噴射方法において、
前記原エアゾール容器から前記小分け容器の内容物流入部に流入する前記移充填内容物を、逆止弁の開状態弁作用により前記内容物流入部の下流側の収容空間域に収容し、
前記移充填内容物が前記収容空間域に収容された前記小分け容器を前記原エアゾール容器から分離し、
前記分離した後の前記小分け容器の前記移充填内容物を、前記逆止弁の閉状態弁作用により前記収容空間域から前記内容物流入部の方へ流出することを阻止して、前記外部空間域に噴射する、
構成態様の小分け噴射方法を用いる。
【００１６】
このような構成からなるエアゾール内容物の小分け容器およびエアゾール内容物の小分け噴射方法を本発明の対象としている。
【発明の効果】
【００１７】
本発明は、以上の構成をとることにより、
原エアゾール容器よりも小さくて軽い小分け容器を携帯すればよいといったエアゾール内容物の小分け使用に際しての利便化を図り、
一回の内容物噴射量についての無駄の低減化を図る、
ことなどができる。
【図面の簡単な説明】
【００１８】
【図１】本発明のエアゾール内容物移充填先の小分け容器（略空モード）を示す説明図である。
【図２】原エアゾール容器から図１の小分け容器への内容物移充填モードを示す説明図である。
【図３】図２の内容物移充填後に原エアゾール容器から分離した状態の小分け容器の内容物噴射モードを示す説明図である。
【発明を実施するための形態】
【００１９】
図１乃至図３を用いて、本発明を実施するための形態を説明する。
【００２０】
なお、以下のアルファベット付き参照番号の構成要素（例えば噴射口２ａ）は原則として、当該参照番号の数字部分の構成要素（例えば操作ボタン２）の一部であることを示している。
【００２１】
図１〜図３において、
Ａは内容物容量が200mL，300mL，330mL，450mLなどの原エアゾール容器（図２のみで使用），
Ｂは原エアゾール容器Ａの内容物が例えば2mLの単位で移充填収容される、この容器Ａよりも小さくて軽い小分け容器，
Ｃは小分け容器Ｂの流入弁（逆止弁）から流出弁までの閉空間域態様で設定されて原エアゾール容器Ａからの移充填内容物を収容する空間域としての小分け定量室（収容空間域），
をそれぞれ示している。
【００２２】
ここで小分け定量室Ｃの流入弁は後述の逆止弁１１であり、流出弁は後述のステム３（横孔部３ａ）およびステムガスケット４である。
【００２３】
また、
１は後述の肩カバー１３に着脱可能なトップキャップ，
２はトップキャップ１に保護されて内容物噴射操作の対象となり、内容物通路を備えた操作ボタン，
２ａは内容物の噴射流出部として作用する噴射口，
３は操作ボタン２の内容物流入口に取り付けられて後述のステムガスケット４との間で流出弁作用を呈するステム，
３ａは後述のステムガスケット４との間で流出弁を構成する内外連通用の横孔部，
３ｂは横孔部３ａからその下流側に形成された筒状の内容物通路部，
３ｃはステム３の下側外周面に形成されて後述の上側コイルスプリング７の上端部分を受ける下向き環状段部，
をそれぞれ示している。
【００２４】
また、
４は横孔部３ａの開閉作用を呈して流出弁を構成する環状のステムガスケット，
５はその内部空間域にステム３の下側部分および後述の環状ピストン９などが配設されるハウジング，
５ａはその上端部分でステムガスケット４を保持し、その内部空間域にステム３の下側部分を収容するハウジング上筒状部，
５ｂはハウジング上筒状部５ａの直上流側部材であって、小分け定量室Ｃの内容物が外部空間域へ噴射される際の通路を構成するハウジング下中央筒状部，
５ｃは小分け定量室Ｃを画定する後述の環状ピストン９が配設されるハウジング下外側筒状部，
５ｄはハウジング下中央筒状部５ｂの上端側外周面に周方向飛び飛びの態様で形成されて、それぞれの下端面部分との当接作用により後述の環状ピストン９の上動位置を設定する計四個の縦リブ状部，
５ｅはハウジング下中央筒状部５ｂの下端側に周方向飛び飛びの態様で形成され、図３の噴射モードのとき、小分け定量室Ｃの収容内容物がこのハウジング下中央筒状部の内側空間域へ流入する際の通路域として作用する下端側切欠状部，
５ｆはハウジング下外側筒状部５ｃの下端側外周面に形成された内螺子作用部分，
５ｇはハウジング下中央筒状部５ｂおよびハウジング下外側筒状部５ｃの間の天井部分に形成された外気連通用の縦孔部，
をそれぞれ示している。
【００２５】
また、
６はハウジング上筒状部５ａの上側外周面にカシメ加工により取り付けられてステムガスケット４の上面部分を保持するマウンティングカップ，
７はステム３の下向き環状段部３ｃとハウジング上筒状部５ａの鞘状底面側リブ状部との間に配設されて、ステム３を上方向に付勢する上側コイルスプリング，
をそれぞれ示している。
【００２６】
また、
８はハウジング下外側筒状部５ｃに取り付けられて自内底面と後述の環状ピストン９との間で小分け定量室Ｃを画定する底蓋，
８ａはハウジング下外側筒状部５ｃの下端側部分を螺合保持する外端環凹状部，
８ｂは外端環凹状部８ａの外側内周面に形成されてハウジング下外側筒状部５ｃの内螺子作用部分５ｆと螺合する外螺子作用部分，
８ｃは底蓋中央部分に、原エアゾール容器Ａのステム２１の内容物流出側上部分を着脱可能な嵌合状態に保持する下開口の鞘状態様で、形成された内容物流入口（図２参照），
８ｄは内容物流入口８ｃの直外側に形成された下開口環凹状部，
８ｅは下開口環凹状部８ｄの環状上表面の経方向に全体として周方向飛び飛びの態様で形成され、後述の環状ピストン９の最下動位置を設定する計四個の径方向凸状部，
８ｆは内容物流入口８ｃの奥周面部分に形成されてその下流側の小分け定量室Ｃと連通する孔部，
８ｇは内容物流入口８ｃおよび孔部８ｆから連続してハウジング下中央筒状部５ｂに配設される態様で形成された上下方向の柱状起立部，
をそれぞれ示している。
【００２７】
また、
９はハウジング下中央筒状部５ｂの外周面およびハウジング下外側筒状部５ｃの内周面それぞれとのシール作用を呈しながら、縦リブ状部５ｄと径方向凸状部８ｅとの各当接位置間で上下方向に移動する環状ピストン，
１０はハウジング下中央筒状部５ｂとハウジング下外側筒状部５ｃとの間の環状域に配設されて環状ピストン９を下方に付勢する下側コイルスプリング，
１１は内容物流入口８ｃの外周面および柱状起立部８ｇの下端側外周面に密接状態で取り付けられて、底蓋８の孔部８ｆにおける内容物流入口８ｃから小分け定量室Ｃの方向への内容物流のみに対し開状態となる逆止弁，
１２は底蓋８の外端環凹状部８ａの底部分に設けられて小分け定量室Ｃからの内容物漏れを阻止するパッキン，
１３はハウジング下外側筒状部５ｃの上端側外周面に嵌合保持されてハウジング５などを保護する肩カバー，
をそれぞれ示している。
【００２８】
また、図２の原エアゾール容器Ａにおいて、
２１はステム，２２はステムガスケット，２３はハウジング，２４はマウンティングカップ，２５はステム付勢用のコイルスプリングをそれぞれ示している。これら各構成要素の形状，作用などは周知である。
【００２９】
ここで、トップキャップ１，操作ボタン２，ハウジング５，底蓋８，環状ピストン９および肩カバー１３は例えばポリプロピレン，ポリエチレン，ポリアセタール，ナイロン，ポリブチレンテレフタレートなどからなるプラスチック製のものである。
【００３０】
また、ステム３，上側コイルスプリング７および下側コイルスプリング１０は例えばプラスチック製，金属製のものである。ステムガスケット４，逆止弁１１およびパッキン１２はゴム製，熱可塑性エラストマー性のものである。マウンティングカップ６は例えば金属性のものである。
【００３１】
図１は小分け容器Ｂの略空モードを示しており、
ステム３は上側コイルスプリング７の弾性作用でステムガスケット４が水平状態となる略最上位置に移動して、流出弁（横孔部３ａおよびステムガスケット４）が閉じ、
流入弁（逆止弁１１）も閉じ、
環状ピストン９は下側コイルスプリング１０の弾性作用で底蓋８の径方向凸状部８ｅに当接する略最下位置に移動し、小分け定量室Ｃの主空間域である環状ピストン下側空間域の容量が略「０」の状態になっている。
【００３２】
図２は図１の小分け容器Ｂの内容物流入口８ｃの開口部分を原エアゾール容器Ａのステム２１に嵌合保持して、トップキャップ１および肩カバー１３などを押下げ操作した状態の内容物移充填モードを示しており、
底蓋８およびハウジング５を介して肩カバー１３と一体のステム２１は、静止モード位置から下動して原エアゾール容器Ａの流出弁（ステム２１の横孔部＋ステムガスケット２２）が開き、
原エアゾール容器Ａの内容物がステム２１の内側通路部を経て底蓋８の孔部８ｆに流入して、その圧力で逆止弁１１が開き、
この逆止弁開状態の孔部８ｆから原エアゾール容器Ａの内容物が、噴射剤の圧力作用で小分け定量室Ｃへ流入し、環状ピストン９を、下側コイルスプリング１０の弾性力に抗しながらハウジング５の縦リブ状部５ｄとの当接位置まで押し上げている。
【００３３】
なお、図２の押下げ操作のとき、ステム２１と一体になった小分け容器Ｂの全体が原エアゾール容器Ａに対して下動する。
【００３４】
図２において、原エアゾール容器Ａの内容物が小分け容器Ｂ（小分け定量室Ｃ）に流入するときの経路は、開状態の逆止弁１１を介した図示矢印のようになる。
【００３５】
利用者が図２の小分け容器Ｂの原エアゾール容器Ａへの押下げ操作を止めると、ステム２１がコイルスプリング２５の弾性作用により上動して周知のステム横孔部はステムガスケット２２で閉状態に設定される。
【００３６】
このステム横孔部の閉塞にともない、原エアゾール容器Ａの内容物の孔部８ｆへの流入動作が終了する。すなわち逆止弁１１が閉状態となり、小分け容器Ｂは原エアゾール容器Ａの内容物が移充填した状態に設定される。
【００３７】
この内容物移充填後の小分け容器Ｂは原エアゾール容器Ａからいわば独立した単独の小型・携帯用の内容物噴射容器といえる。
【００３８】
この内容物噴射容器の小分け定量室Ｃを画定する環状ピストン９の底上面には下側コイルスプリング１０の下方向弾性力が作用し、底下面には小分け定量室Ｃの上方向内部圧力が作用している。
【００３９】
図３は図２の内容物移充填後に原エアゾール容器Ａから分離した小分け容器Ｂの噴射モードを示しており、
トップキャップ１を取り外した状態での操作ボタン２の押下げ操作にともない、これと一体のステム３が上側コイルスプリング７の弾性力に抗しながら下動し、
このステム３の下動により環状のステムガスケット４の内端側周回部分が下方変形して、横孔部３ａに対するステムガスケット４の閉状態が解除され、
この閉状態解除にともない、小分け定量室Ｃが「横孔部３ａ−内容物通路部３ｂ−噴射口２ａ」を経て外部空間域に連通し、
この外部空間域と連通する小分け定量室Ｃ（主に環状ピストン９の下側空間域）の内容物が、下側コイルスプリング１０の弾性力に基づく環状ピストン９の下動により
「ハウジング下中央筒状部５ｂの下端側切欠状部５ｅ−ハウジング下中央筒状部５ｂの内周面と柱状起立部８ｇの外周面との間の環状空間域−ハウジング上筒状部５ａの内部空間域−横孔部３ａ−内容物通路部３ｂ」を経て噴射口２ａから噴射される。
【００４０】
このときの噴射対象は原エアゾール容器Ａから小分け容器Ｂに移充填した内容物であり、噴射量は例えば上述のように「1〜2mL」の少量である。
【００４１】
小分け容器Ｂの内容物の全噴射後に操作ボタン２の押下げ操作を終了した段階では、
操作ボタン２およびステム３が上側コイルスプリング７の弾性力により上動して、横孔部３ａがステムガスケット４の環状内端部分で閉状態に設定され、
下側コイルスプリング１０の下方への弾性作用によって環状ピストン９が底蓋８の径方向凸状部８ｅに当接する位置まで下動し、小分け定量室Ｃは略空状態になっている。
【００４２】
この空状態の小分け容器Ｂの肩カバー１３にトップキャップ１を取り付けると図１と同一態様のものになる。
【００４３】
なお、図示の原エアゾール容器Ａは内容物噴射剤として圧縮ガスを用いることを前提としている。
【００４４】
内容物噴射剤として液化ガスを用いる場合には、ハウジング５の縦孔部５ｇを形成せず、かつ、ハウジング５に内部配設された環状ピストン９および下側コイルスプリング１０を省略する。
【００４５】
以上の小分け容器移充填の適用対象（移充填元の原エアゾール容器）としては，洗浄剤，清掃剤，制汗剤，忌避剤，殺虫剤，医薬品，医薬部外品，化粧品，洗濯のりなどの各種用途のものがある。
【００４６】
原エアゾール容器内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００４７】
原エアゾール容器の噴射剤としては、液化石油ガス，ジメチルエーテルなどの液化ガス、または、炭酸ガス，窒素ガス，圧縮空気，酸素ガス，亜酸化窒素，これらの混合ガスなどの圧縮ガスを用いる。
【符号の説明】
【００４８】
Ａ：原エアゾール容器（図２）
Ｂ：小分け容器
Ｃ：小分け定量室
【００４９】
１：トップキャップ
２：操作ボタン
２ａ：噴射口
３：ステム
３ａ：横孔部
３ｂ：内容物通路部
３ｃ：下向き環状段部
４：ステムガスケット
【００５０】
５：ハウジング
５ａ：ハウジング上筒状部
５ｂ：ハウジング下中央筒状部
５ｃ：ハウジング下外側筒状部
５ｄ：縦リブ状部
５ｅ：下端側切欠状部
５ｆ：内螺子作用部分
５ｇ：縦孔部
６：マウンティングカップ
７：上側コイルスプリング
【００５１】
８：底蓋
８ａ：外端環凹状部
８ｂ：外螺子作用部分
８ｃ：内容物流入口
８ｄ：下開口環凹状部
８ｅ：径方向凸状部
８ｆ：孔部
８ｇ：柱状起立部
【００５２】
９：環状ピストン
１０：下側コイルスプリング
１１：逆止弁
１２：パッキン
１３：肩カバー
【００５３】
（図２の原エアゾール容器Ａ）
２１：ステム
２２：ステムガスケット
２３：ハウジング
２４：マウンティングカップ
２５：コイルスプリング
【図１】
2020104933.tif 000003
【図２】
2020104933.tif 000004
【図３】
2020104933.tif 000005